(57)【要約】【課題】機能性に優れ、かつ居住空間にゆとりを持たせることのできる住宅構造を提供する。【解決手段】玄関２から、居住空間の中程に配置したところの廊下３より幅広の八角形ホール１に向かって、前後方向に主中廊下３ａを配置し、主中廊下３ａを挟んで左右に配置した第一室４ａと第二室４ｂに通じるドアＤを、八角形ホール１の玄関２側の斜辺壁１ａに設け、八角形ホール１の他の任意の一壁側に、直接または第二廊下３ｂを介して通じるＷＣ室５を配置し、八角形ホール１の残りの四壁側には、必要に応じドアＤを配して任意の部屋４または他の廊下３を配置し、八角形ホール１の天井に照明装置６を設ける。【選択図】      図１
0003106218.tif 000002
【実用新案登録請求の範囲】
【請求項１】
玄関（２）から，居住空間の中程に配置したところの廊下（３）より幅広の八角形ホール（１）に向かって，前後方向に主中廊下（３ａ）を配置し、前記主中廊下を挟んで左右に配置した第一室（４ａ）と第二室（４ｂ）に通じるドア（Ｄ）を，前記八角形ホールの前記玄関側の斜辺壁（１ａ）に設け、前記八角形ホールの他の任意の一壁側に，直接または第二廊下（３ｂ）を介して通じるＷＣ室（５）を配置し、前記八角形ホールの残りの四壁側には，必要に応じドアを配して任意の部屋（４）または他の廊下を配置し、前記八角形ホールの天井に照明装置（６）を設けてなる住宅構造。
【考案の詳細な説明】
【技術分野】
【０００１】
本考案は、居住空間の中程に、廊下より幅広の八角形ホールを配置した住宅構造に関するものである。
【背景技術】
【０００２】
従来、例えばマンション等の住宅構造は、一般に、直線状に配置した等幅廊下の左右側や突き当たり部分に部屋やＷＣ室を配置している。従って、住人は、その廊下を通って他の部屋やＷＣ室に移動する必要がある。
【考案の開示】
【考案が解決しようとする課題】
【０００３】
しかし、こうした従来の住宅構造においては、通常、廊下は幅が狭いため、当該廊下で住人がすれ違う場合などには、互いがよけるようにして歩く必要がある。また、例えば、玄関側の部屋から廊下の突き当たり部分に配置した部屋あるいはＷＣ室に行くには、その狭い廊下を移動しなければならない。こうした点で従来の住宅構造は、その機能性において改善すべき余地がある。また、従来の住宅構造における廊下は狭いため、居住空間にゆとりが感じられず、こうした点においても改善の余地が残されている。
【０００４】
本考案はこうした問題に鑑み創案されたもので、機能性に優れ、かつ居住空間にゆとりを持たせることのできる住宅構造を提供することを課題とする。
【課題を解決するための手段】
【０００５】
本考案に係る住宅構造は、玄関２から、居住空間の中程に配置したところの廊下３より幅広の八角形ホール１に向かって、前後方向に主中廊下３ａを配置し、前記主中廊下３ａを挟んで左右に配置した第一室４ａと第二室４ｂに通じるドアＤを、前記八角形ホール１の前記玄関２側の斜辺壁１ａに設け、前記八角形ホール１の他の任意の一壁側に、直接または第二廊下３ｂを介して通じるＷＣ室５を配置し、前記八角形ホール１の残りの四壁側には、必要に応じドアＤを配して任意の部屋４または他の廊下３を配置し、前記八角形ホール１の天井に照明装置６を設けてなる。
【考案の効果】
【０００６】
本考案の住宅構造は、居住空間の中程に、廊下３より幅広の八角形ホール１を配置すると共に、玄関２からその八角形ホール１に向かって主中廊下３ａを配置し、その主中廊下３ａを挟んで左右に配置した第一室４ａと第二室４ｂに通じるドアＤを、八角形ホール１の玄関２側の斜辺壁１ａに設けている。また、八角形ホール１の他の任意の一壁側に、直接または第二廊下３ｂを介して通じるＷＣ室５を配置し、当該八角形ホール１の残りの四壁側には、必要に応じドアＤを配して任意の部屋４または他の廊下３を配置している。従って、居住空間の中程に位置する八角形ホール１から全ての部屋４およびＷＣ室５に行くことができ便利である。また、この八角形ホール１は廊下３より幅広に設定しているので、ゆとりのある居住空間を現出することができる。
【０００７】
なお、八角形ホール１の天井には照明装置６を設けているので、当該照明装置６を点灯することによって八角形ホール１が現出する居住空間をより広く視覚させることができ、さらにゆとりのある居住空間を作り出すことができる。
【考案を実施するための最良の形態】
【０００８】
本考案に係る住宅構造の第一実施形態を、図１に示す。この住居構造はマンションにおけるもので、玄関２から、居住空間の中程に配置した八角形ホール１に向かって、前後方向に主中廊下３ａを配置している。この八角形ホール１は、平面略正八角形の形状であり、その一辺の長さを廊下３の幅と等しく設定している。
【０００９】
また、主中廊下３ａを挟んで第一室４ａと第二室４ｂを左右に配置し、それぞれのドアＤを八角形ホール１の玄関２側の斜辺壁１ａに設けている。さらに、八角形ホール１の他の一壁側に、直接、ＷＣ室５を配置している。そして、八角形ホール１の残りの四壁側には三つの部屋４と第三廊下を配置している。なお、本実施形態では、この三つの部屋４のうち、一つを第三室４ｃとし、二つ目を納戸４ｄとし、残りをクローゼット４ｅとしている。八角形ホール１の天井には、照明装置６を設けている。
【００１０】
この実施形態に係る住宅構造は、居住空間の中程に八角形ホール１を配置し、そこから第一室４ａ、第二室４ｂ、第三室４ｃおよび納戸４ｄに行くことができるように設定しているので、各部屋４への移動がきわめて便利であり、機能性に優れる。また、八角形ホール１は廊下３より幅広に設定しているので、ゆとりのある居住空間を現出することができる。なお、照明装置６を点灯することによって、八角形ホール１の広い空間をさらに広く感じさせることができる。
【００１１】
本考案に係る住宅構造の第二実施形態を、図２に示す。この住宅構造は、玄関２から、居住空間の中程に配置した八角形ホール１に向かって、前後方向に主中廊下３ａを配置し、その主中廊下３ａを挟んで左右に配置した第一室４ａと第二室４ｂに通じるドアＤを、八角形ホール１の玄関２側の斜辺壁１ａに設けている。
【００１２】
また、八角形ホール１の他の任意の一壁側に、第二廊下３ｂを介して通じるＷＣ室５を配置している。さらに、八角形ホール１の残りの四壁側には、二つの部屋４と二つのクローゼット４ｅを配置している。また、八角形ホール１の天井には照明装置６を設けている。
【００１３】
この住宅構造においても、第一実施形態の場合と同様に、八角形ホール１から各部屋４に行くことができるので利便性に優れる。また、八角形ホール１は廊下３より幅広に設定しているので、ゆったりとした居住空間を作り出すことができる。さらに、照明装置６によって、八角形ホール１が現出する居住空間を、よりゆとりあるものとすることができる。
【００１４】
なお、第一実施形態および第二実施形態において、部屋４には、前記したものの他、リビングダイニングルームや洗面所あるいは浴室も含まれる。また、本考案に係る住宅構造は、マンションのみでなく、戸建ての住居にも適用することができる。
【図面の簡単な説明】
【００１５】
【図１】本考案に係る住宅構造の第一実施形態を示す平面図である。
【図２】本考案に係る住宅構造の第二実施形態を示す平面図である。
【符号の説明】
【００１６】
１      八角形ホール
１ａ    斜辺壁
２      玄関
３      廊下
３ａ    主中廊下
３ｂ    第二廊下
４      部屋
４ａ    第一室
４ｂ    第二室
４ｃ    第三室
４ｄ    納戸
４ｅ    クローゼット
５      ＷＣ室
６      照明装置
Ｄ      ドア
【図１】
0003106218.tif 000003
【図２】
0003106218.tif 000004